(57)【要約】【課題】電子番組表のベースとなる空欄表を他の内容にも利用して、操作性の統一及び高い一覧性を実現する。【解決手段】テレビジョン装置１は、電子番組表の生成に用いる空欄表を、ブックマークの登録内容、アクセス履歴、設定項目、及び記憶媒体の記憶内容の表示に対しても利用して、ブックマーク一覧表、アクセス履歴表、設定表、及び記憶内容一覧表を生成する。生成された各表は、電子番組表と同等な操作仕様になるため、ユーザの使い勝手が向上すると共に、表に配置される内容を一画面で多数表示可能となるので、高い一覧性も確保できる。また、テレビジョン装置１を製造するメーカ側としては、ブックマークの登録内容、アクセス履歴、設定項目、及び記憶内容の表示のため従来は専用のものを設計していたが、空欄表の共用化により開発のコスト及び工期の低減を図れる。【選択図】図２
2008135818.tif 000002
【特許請求の範囲】
【請求項１】
格子状の空欄表の欄に電子番組表に係わる番組名を表すデータを配置して、データ表を生成するデータ表生成装置であって、
装置設定に係わるデータ、Ｗｅｂサイトへのアクセス先に係わるデータ、若しくは装置内部又は外部の記憶媒体に記憶された記憶内容に係わるデータの少なくとも一つを、前記空欄表に配置してデータ表を生成する表生成手段を備えることを特徴とするデータ表生成装置。
【請求項２】
格子状の空欄表の欄に電子番組表に係わる番組名を表すデータを複数配置して、データ表を生成するデータ表生成装置であって、
前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えてデータ表を生成する表生成手段を備えることを特徴とするデータ表生成装置。
【請求項３】
格子状の空欄表の欄に電子番組表に係わる番組名を表すデータを配置して、データ表を生成するデータ表生成装置であって、
番組名を表すデータ、装置設定に係わるデータ、Ｗｅｂサイトへのアクセス先に係わるデータ、若しくは装置内部又は外部の記憶媒体に記憶された記憶内容に係わるデータの少なくとも二つを前記空欄表に配置してデータ表を生成する表生成手段を備えることを特徴とするデータ表生成装置。
【請求項４】
画像に前記データ表を積層させた積層画像を生成する画像生成手段を備え、
前記空欄表にデータの配置が無い欄がある場合、前記画像生成手段は、データの配置が無い欄の大きさに応じた寸法に変更した画像を、データの配置が無い欄に合わせて配置すると共に、前記表生成手段は、下層の画像が透過するように、データの配置が無い欄を透明的な形態にする請求項１乃至請求項３のいずれか１つに記載のデータ表生成装置。
【請求項５】
前記空欄表にデータの配置が無い欄がある場合、データの配置が無い欄に画像を配置する画像配置手段を備える請求項１乃至請求項３のいずれか１つに記載のデータ表生成装置。
【請求項６】
前記データ表が装置設定に係わるデータを含む場合、前記表生成手段は、前記装置設定に係わるデータとして、装置の設定項目を表す設定項目データ、及び設定項目に対応する設定内容を表す設定内容データを配置すると共に、配置した前記設定内容データを選択可能にする請求項１乃至請求項５のいずれか１つに記載のデータ表生成装置。
【請求項７】
前記表生成手段は、前記設定内容データを、対応する設定項目データと同一の行又は同一の列に配置する請求項６に記載のデータ表生成装置。
【請求項８】
一つの設定項目データに対して複数の設定内容データが配置された場合で、複数の設定内容データの中から一の設定内容データが選択されたとき、前記表生成手段は、選択された一の設定内容データを他の設定内容データと相異する形態にする請求項６又は請求項７に記載のデータ表生成装置。
【請求項９】
Ｗｅｂサイトへのアクセスに要するアクセス先データの登録を受け付ける登録受付手段と、
アクセス先データに基づきＷｅｂサイトへアクセスする通信手段とを備え、
前記データ表がＷｅｂサイトへのアクセス先に係わるデータを含む場合、前記表生成手段は、Ｗｅｂサイトへのアクセス先に係わるデータとして、前記登録受付手段が登録を受け付けたアクセス先データを選択可能に配置する請求項１乃至請求項８のいずれか１つに記載のデータ表生成装置。
【請求項１０】
Ｗｅｂサイトへのアクセスに要するアクセス先データに基づきＷｅｂサイトへアクセスする通信手段と、
該通信手段がアクセスしたＷｅｂサイトに係わるアクセス先データを記憶する手段とを備え、
前記データ表がＷｅｂサイトへのアクセス先に係わるデータを含む場合、前記表生成手段は、Ｗｅｂサイトへのアクセス先に係わるデータとして、記憶された前記アクセス先データを選択可能に配置する請求項１乃至請求項９のいずれか１つに記載のデータ表生成装置。
【請求項１１】
前記表生成手段は、Ｗｅｂサイトの種類別に前記空欄表の行又は列を分けて、Ｗｅｂサイトの種類に応じたアクセス先データを配置する請求項９又は請求項１０に記載のデータ表生成装置。
【請求項１２】
前記通信手段によるＷｅｂサイトへのアクセス回数を計数する計数手段を備え、
前記表生成手段は、前記計数手段が計数したアクセス回数の大きいＷｅｂサイトの順に従って、一方側から他方側へ該Ｗｅｂサイトに係わるアクセス先データを配置する請求項９乃至請求項１１のいずれか１つに記載のデータ表生成装置。
【請求項１３】
前記データ表に配置されたアクセス先データが選択された場合、前記通信手段は選択されたアクセス先データに基づきアクセスを行う請求項９乃至請求項１２のいずれか１つに記載のデータ表生成装置。
【請求項１４】
番組を、番組の内容を表すタイトルデータと関連付けて装置内部の記憶媒体に記憶する処理を行う記憶手段を備え、
前記データ表が装置内部の記憶媒体に記憶された記憶内容に係わるデータを含む場合、前記表生成手段は、前記装置内部の記憶媒体に記憶された記憶内容に係わるデータとして、前記タイトルデータを選択可能に配置する請求項１乃至請求項１３のいずれか１つに記載のデータ表生成装置。
【請求項１５】
記憶媒体を含む外部の記憶装置に接続されて、外部の記憶装置から送られる記憶内容を表すタイトルデータを取得する取得手段を備え、
前記データ表が装置外部の記憶媒体に記憶された記憶内容に係わるデータを含む場合、前記表生成手段は、前記装置外部の記憶媒体に記憶された記憶内容に係わるデータとして、前記タイトルデータを選択可能に配置する請求項１乃至請求項１４のいずれか１つに記載のデータ表生成装置。
【請求項１６】
請求項１乃至請求項１５のいずれか１つに記載のデータ表生成装置と、
テレビジョン放送番組に係わる放送信号を受信する受信手段と
を備えることを特徴とするテレビジョン放送受信装置。
【請求項１７】
データ表生成装置が、格子状の空欄表の欄に電子番組表に係わる番組名を表すデータを配置して、データ表を生成するデータ表生成方法であって、
前記データ表生成装置は、
装置設定に係わるデータ、Ｗｅｂサイトへのアクセス先に係わるデータ、若しくは装置内部又は外部の記憶媒体に記憶された記憶内容に係わるデータの少なくとも一つを、前記空欄表の欄に配置して、データ表を生成することを特徴とするデータ表生成方法。
【請求項１８】
データ表生成装置が、格子状の空欄表の欄に電子番組表に係わる番組名を表すデータを複数配置して、データ表を生成するデータ表生成方法であって、
前記データ表生成装置は、
前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えて、データ表を生成することを特徴とするデータ表生成方法。
【請求項１９】
データ表生成装置が、格子状の空欄表の欄に電子番組表に係わる番組名を表すデータを配置して、データ表を生成するデータ表生成方法であって、
前記データ表生成装置は、
番組名を表すデータ、装置設定に係わるデータ、Ｗｅｂサイトへのアクセス先に係わるデータ、若しくは装置内部又は外部の記憶媒体に記憶された記憶内容に係わるデータの少なくとも二つを前記空欄表に配置して、データ表を生成することを特徴とするデータ表生成方法。
【請求項２０】
コンピュータに、格子状の空欄表の欄に電子番組表に係わる番組名を表すデータを配置してデータ表を生成させる処理を行わせるコンピュータプログラムであって、
コンピュータを、
処理設定に係わるデータ、Ｗｅｂサイトへのアクセス先に係わるデータ、若しくはコンピュータ内部又は外部の記憶媒体に記憶された記憶内容に係わるデータの中から少なくとも一つを前記空欄表に配置してデータ表を生成する表生成手段として機能させることを特徴とするコンピュータプログラム。
【請求項２１】
コンピュータに、格子状の空欄表の欄に電子番組表に係わる番組名を表すデータを複数配置してデータ表を生成させる処理を行わせるコンピュータプログラムであって、
コンピュータを、
前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えてデータ表を生成する表生成手段として機能させることを特徴とするコンピュータプログラム。
【請求項２２】
コンピュータに、格子状の空欄表の欄に電子番組表に係わる番組名を表すデータを配置してデータ表を生成させる処理を行わせるコンピュータプログラムであって、
コンピュータを、
番組名を表すデータ、処理設定に係わるデータ、Ｗｅｂサイトへのアクセス先に係わるデータ、若しくはコンピュータ内部又は外部の記憶媒体に記憶された記憶内容に係わるデータの少なくとも二つを前記空欄表に配置してデータ表を生成する表生成手段として機能させることを特徴とするコンピュータプログラム。
【発明の詳細な説明】
【技術分野】
【０００１】
本発明は、電子番組表のベースとなる格子状の表を他の表示内容にも利用可能にすることで、各種内容の良好な視認性及び統一された操作性をユーザに提供すると共に、開発のコスト及び時間の低減を実現したデータ表生成装置、テレビジョン放送受信装置、データ表生成方法、及びコンピュータプログラムに関する。
【背景技術】
【０００２】
従来、テレビジョン装置、及び録画装置等の放送番組を受信する装置では、電子番組表（ＥＰＧ：Electric Program Guide）に基づいて放送番組の受信及び予約録画等を可能にした電子番組表対応の機種が多数存在する。電子番組表の中身となる番組データは現在、主に２通りの方法でユーザの元へ供給されている。１つ目はアナログ放送又はデジタル放送を通じた放送信号として供給される方法であり、２つ目はインターネットのようなネットワークを通じて供給される方法であり、いずれの方法でも１日に複数回、最新の番組データが供給される。電子番組表対応の装置は、電子番組表のベースとなる表データを予め記憶しており、この表データの欄に取得した番組データを配置して電子番組表を随時生成する（特許文献１、２参照）。
【０００３】
一方、テレビジョン装置の中には、ネットワーク通信機能及びＷｅｂサイトのブラウジング機能を備えて、インターネット上に構築されたＷｅｂサイトにアクセスし、Ｗｅｂページを放送番組と同様に画面に表示できるようにしたインターネット対応の機種も登場している。例えば、特許文献３では、表示中の番組に対応するＷｅｂページを、番組と同時に表示可能とした装置が開示されている。また、特許文献４では、ユーザが頻繁に利用するＷｅｂサイトのタイトルおよびＵＲＬ（Uniform Resource Locator）を登録するブックマークに、放送番組の番組名を登録可能にした装置が開示されている。なお、昨今のテレビジョン装置の中には、記憶媒体（例えば、カードタイプの半導体メモリ）を装着できるスロットを設け、スロットに装着した記憶媒体に受信した放送番組を記憶できるようにした機種も存在する。なお、Ｗｅｂサイトとは、Ｗｅｂページの集合体であり、インターネットのような広域なネットワークに接続されたＷｅｂサーバにＷｅｂサイトに係るデータが蓄えられ、そのようなＷｅｂサーバへアクセスすることでＷｅｂサイトの閲覧が可能になる。また、Ｗｅｂサイトにはブログのような簡易式のサイトも含む。
【特許文献１】特開２００４−２０１０２５号公報
【特許文献２】特開２００４−２０１０８０号公報
【特許文献３】特開平１１−２７５５３７号公報
【特許文献４】特開２００６−４１８５６号公報
【発明の開示】
【発明が解決しようとする課題】
【０００４】
電子番組表対応の装置は一般に多機能であり、様々な作動処理等を行える仕様になっていることが多い。これらの各種機能を有効にするには、設定メニューに基づき複数の対象項目について設定を行うことが要求される。このような設定作業は、多くの設定項目の中から必要な項目に応じた設定メニューを見つけねばならないと共に、設定内容が適切であるかを随時確認する必要があるため、ユーザにとって負担が大きい。また、設定メニューにおける操作性は、電子番組表などに対する操作と相異しており、装置の取扱説明書を参照しないと、設定操作の内容が分からないこともあるので、ユーザの設定操作負担を更に増長すると云う問題が生じる。
【０００５】
一方、上述した多機能の装置を製造するメーカにとっては、多くの設定項目に対応した設定メニューをそれぞれ生成する必要があり、特に昨今は装置の更なる多機能化に伴い、生成する設定メニューの数も増大しているので、設定メニューの開発に対するコスト及び工期が増加すると云う問題がある。
【０００６】
また、インターネット対応のテレビジョン装置は上述した特許文献４の装置のように、ブックマーク機能を備えると共に、アクセスしたＷｅｂサイトのＵＲＬ等を残して登録するアクセス履歴機能も通常備えており、ブックマーク及びアクセス履歴の登録内容を選択して所望のＷｅｂサイトへアクセス可能になっている。しかし、ブックマーク及びアクセス履歴は、登録内容を表示できる項目数が限られるため、多くの登録内容が存在する場合、ユーザは一度に多くの内容を確認できないと云う問題がある。例えば、特許文献４の装置は、タイトル及びＵＲＬを配置するブックマーク用の表に、放送番組の番組タイトルを付加情報として登録する構成なので、ベースとなる表がブックマーク用であることから、表を構成する欄の数が少なく、様々な内容を多数配置できないと云う問題がある。また、ブックマーク及びアクセス履歴の登録内容を選択する操作は、電子番組表から番組を選択する操作に比べて手順及び方法等が異なるため、装置全体における操作性を充分に統一できていないと云う問題がある。
【０００７】
さらに、記憶媒体を装着可能にしたテレビジョン装置においては、記憶媒体に記憶した放送番組の内容を一覧表示するために、専用の一覧表を生成する必要があり、この専用の一覧表に対しても、上記設定メニューの場合と同様に、開発に対するコスト及び工期が増加すると云う問題が生じる。
【０００８】
さらにまた、電子番組表の表示、設定メニューの表示、ブックマークの表示、アクセス履歴の表示、記憶内容の表示は、従来テレビジョン装置では、いずれも専用の処理を行うため同時に複数の内容を表示できず、複数の内容を表示する必要があるときは、一回ずつそれぞれの内容を切り替えて表示しなければならないので、ユーザの操作負担が大きいと云う問題がある。
【０００９】
本発明は、斯かる問題に鑑みてなされたものであり、従来、電子番組表の生成にのみ使用されていた表データを、他の内容を表示するための表生成に利用することで、他の内容に対しても優れた一覧性及び統一された操作性を確保すると共に、各種内容を表示するための処理に対する開発コスト及び工期の増加を抑制したデータ表生成装置、テレビジョン放送受信装置、データ表生成方法、及びコンピュータプログラムを提供することを目的とする。
【００１０】
また、本発明は、電子番組表の表データを利用して、一度に複数種類の内容を表示可能にすることで、ユーザの操作負担を低減して効率的な操作及び確認を行えるようにしたデータ表生成装置、テレビジョン放送受信装置、データ表生成方法、及びコンピュータプログラムを提供することを目的とする。
【課題を解決するための手段】
【００１１】
上記課題を解決するために本発明に係るデータ表生成装置は、格子状の空欄表の欄に電子番組表に係わる番組名を表すデータを配置して、データ表を生成するデータ表生成装置であって、装置設定に係わるデータ、Ｗｅｂサイトへのアクセス先に係わるデータ、若しくは装置内部又は外部の記憶媒体に記憶された記憶内容に係わるデータの少なくとも一つを、前記空欄表に配置してデータ表を生成する表生成手段を備えることを特徴とする。
【００１２】
本発明にあっては、装置設定に係わるデータ、Ｗｅｂサイトへのアクセス先に係わるデータ、若しくは装置内部又は外部の記憶媒体に記憶された記憶内容に係わるデータの少なくとも一つを、電子番組表に用いられる空欄表の欄に、番組名を表すデータの替わりに配置してデータ表を生成する。電子番組表の空欄表は、従来の設定メニュー等に比べて多数の欄を有するので、多くの内容を一度に表示できるようになると共に、配置された内容を選択する操作性が電子番組表と同等となり、ユーザの使い勝手が向上される。さらに、電子番組表の空欄表を用いて各種データ表を生成することにより、従来別々に生成していた専用の各種表が不要となり、各種表の開発及び設計に係るコストの低減も図れる。
【００１３】
なお、本発明のデータ表生成装置は、装置設定に係わるデータ、Ｗｅｂサイトへのアクセス先に係わるデータ、装置内部又は外部の記憶媒体に記憶された記憶内容に係わるデータの全てを扱えるものに限定されるわけではなく、装置の仕様などに応じて扱うデータが変わる場合がある。例えば、Ｗｅｂサイトへのアクセス機能を有しない装置では、Ｗｅｂサイトへのアクセス先に係わるデータは扱われなくなり、また、内部に記憶媒体を装着又は装備しない装置では、装置内部の記憶媒体に記憶された記憶内容に係わるデータは扱われなくなる（以下、同様）。
【００１４】
また、本発明に係るデータ表生成装置は、格子状の空欄表の欄に電子番組表に係わる番組名を表すデータを複数配置して、データ表を生成するデータ表生成装置であって、前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えてデータ表を生成する表生成手段を備えることを特徴とする。
【００１５】
本発明にあっては、空欄表へ既に配置された番組名を表す複数のデータの少なくとも一部を他の種類のデータに置き換えて、データ表を生成するので、番組名と他の種類のデータを一つにまとめたデータ表をユーザへ容易に提供でき、複数種類の表を見るための表の切替操作を不要にできる。
【００１６】
さらに、本発明に係るデータ生成装置は、格子状の空欄表の欄に電子番組表に係わる番組名を表すデータを配置して、データ表を生成するデータ表生成装置であって、番組名を表すデータ、装置設定に係わるデータ、Ｗｅｂサイトへのアクセス先に係わるデータ、若しくは装置内部又は外部の記憶媒体に記憶された記憶内容に係わるデータの少なくとも二つを前記空欄表に配置してデータ表を生成する表生成手段を備えることを特徴とする。
【００１７】
本発明にあっては、番組名を表すデータ、装置設定に係わるデータ、Ｗｅｂサイトへのアクセス先に係わるデータ、及び装置内部又は外部の記憶媒体に記憶された記憶内容に係わるデータの少なくとも二つを、電子番組表に用いられる空欄表の欄に配置してデータ表を生成する。このように二つ以上の内容に関するデータを配置することで、多種類の内容を一度に提示してユーザが選択操作を行うことができ、従来、一種類の内容を操作するごとに必要であった表の切替が不要になる。
【００１８】
さらにまた、本発明に係るデータ表生成装置は、画像に前記データ表を積層させた積層画像を生成する画像生成手段を備え、前記空欄表にデータの配置が無い欄がある場合、前記画像生成手段は、データの配置が無い欄の大きさに応じた寸法に変更した画像を、データの配置が無い欄に合わせて配置すると共に、前記表生成手段は、下層の画像が透過するように、データの配置が無い欄を透明的な形態にすることを特徴とする。
【００１９】
本発明にあっては、データを配置していない欄を透明的な形態にすると共に、その欄に合わせて下層の画像の寸法及び配置を変更するので、生成したデータ表を、画像（例えばテレビジョン番組の番組画像）に重ねて表示する際には、データ表を表示中でも下層の画像をユーザが確認できるようになる。そのため、データ表を操作しても下層の画像をユーザが見ることができるので、例えば、表示中のデータ表が装置設定に係わる内容（明るさ、色の濃さ、色あい等）である場合、選択操作（設定操作）の結果を、透明的な形態の欄を通じて見える番組画像で確認でき、効率的な操作処理（設定処理）が実現できる。
【００２０】
また、本発明に係るデータ表生成装置は、前記空欄表にデータの配置が無い欄がある場合、データの配置が無い欄に画像を配置する画像配置手段を備えることを特徴とする。
【００２１】
本発明にあっては、データを配置していない欄に、画像を配置（インポーズ）するので、容易に画像込みのデータ表を生成できる。また、画像を配置したデータ表が装置設定に係わるデータ（例えば、明るさ、色の濃さ、色あい等）を含む場合、装置設定の内容をデータ表で適宜変更すれば、変更した状況がデータ表に配置された画像に反映され、装置設定の内容を、データ表に配置した画像でスムーズに確認できる。
【００２２】
本発明に係るデータ表生成装置において、前記データ表が装置設定に係わるデータを含む場合、前記表生成手段は、前記装置設定に係わるデータとして、装置の設定項目を表す設定項目データ、及び設定項目に対応する設定内容を表す設定内容データを配置すると共に、配置した前記設定内容データを選択可能にすることを特徴とする。
【００２３】
本発明にあっては、設定項目データ及び設定内容データを、電子番組表のようなデータ表で使われる空欄表の欄に配置して設定表に応じた内容のデータ表が生成される。電子番組表の空欄表は、従来の設定メニューに比べて多数の欄を有するので、多くの設定内容を一度に表示できるようになる。また、設定内容データは選択可能に配置されるので、データ表の操作性が電子番組表と統一される。なお、電子番組表の空欄表は、欄に配置された内容を選択可能な仕様であると共に、選択された内容が装置の制御部へ伝えられる仕様であるため、生成されたデータ表においても選択内容に応じた処理が可能になる。また、電子番組表の空欄表を利用してデータ表を生成することにより、従来のような専用の設定メニューが不要になり、設定メニューの開発を行わずに済み、装置開発に係るコスト及び設計工数の低減を図れる。
【００２４】
設定項目データの具体的な中身としては、映像の明るさ、コントラスト、色の濃さ、色あい、画質、音質、録画画質設定、音声記録方式設定、オートチャプター設定、省エネ設定などがある。また、設定内容データの具体的な中身としては、対応する設定項目の中身ごとに相異しており、例えば、映像の明るさに対する設定内容データでは、複数の段階を表す値（プラスの各値、マイナスの各値）が該当する（以下、同様）。
【００２５】
また、本発明に係るデータ表生成装置において、前記表生成手段は、前記設定内容データを、対応する設定項目データと同一の行又は同一の列に配置することを特徴とする。
【００２６】
本発明にあっては、設定内容データを、設定項目データと同一の行又は同一の列に配置するので、設定項目ごとに設定すべき内容の関係が一目で分かるようになり、設定内容の視認性の向上を図れる。なお、テレビジョン装置等の表示画面は横長であるため、一つの設定項目データに対して多数の設定内容データが存在するときは、設定項目データを左端に配置すると共に、設定項目データと同一の行（表示画面における水平方向の行）に各設定内容データを配置すれば、配置された内容を見やすく並べられるため好適である。また、多数の設定項目データが存在するときは、設定項目データは上端に配置すると共に、設定項目データと同一の列（表示画面における垂直方向の列）に各設定内容データを配置すれば、多数の内容を一覧できるので好適となる。
【００２７】
さらに、本発明に係るデータ表生成装置は、一つの設定項目データに対して複数の設定内容データが配置された場合で、複数の設定内容データの中から一の設定内容データが選択されたとき、前記表生成手段は、選択された一の設定内容データを他の設定内容データと相異する形態にすることを特徴とする。
【００２８】
本発明にあっては、複数の中から一の設定内容データが選択されたとき、一の設定内容データは他の設定内容データと相異する形態で表すので、現在の設定内容を容易に把握できる。なお、相異する形態にする例としては、選択された設定内容データの文字色又は文字の形状を他と異ならせること、配置される欄の背景色を他の欄と異ならせること等が考えられる。
【００２９】
また、本発明に係るデータ表生成装置は、Ｗｅｂサイトへのアクセスに要するアクセス先データの登録を受け付ける登録受付手段と、アクセス先データに基づきＷｅｂサイトへアクセスする通信手段とを備え、前記データ表がＷｅｂサイトへのアクセス先に係わるデータを含む場合、前記表生成手段は、Ｗｅｂサイトへのアクセス先に係わるデータとして、前記登録受付手段が登録を受け付けたアクセス先データを選択可能に配置することを特徴とする。
【００３０】
本発明にあっては、登録を受け付けたアクセス先データを、電子番組表の生成に使用される空欄表の欄に配置してブックマーク一覧表に応じたデータ表を生成するので、格子状の空欄表を利用して所謂ブックマークの登録が可能となり、登録された各ブックマークの内容を容易に一覧でき、さらに、ブックマークに対する選択操作を電子番組表と統一して良好な操作インタフェースを確保できる。
【００３１】
さらに、本発明に係るデータ表生成装置は、Ｗｅｂサイトへのアクセスに要するアクセス先データに基づきＷｅｂサイトへアクセスする通信手段と、該通信手段がアクセスしたＷｅｂサイトに係わるアクセス先データを記憶する手段とを備え、前記データ表がＷｅｂサイトへのアクセス先に係わるデータを含む場合、前記表生成手段は、Ｗｅｂサイトへのアクセス先に係わるデータとして、記憶された前記アクセス先データを選択可能に配置することを特徴とする。
【００３２】
本発明にあっては、アクセスの履歴となるアクセス先データを、電子番組表の生成に使用される空欄表の欄に配置してアクセス表に応じたデータ表を生成するので、格子状の空欄表を利用して所謂アクセス履歴を生成でき、配置されたアクセス先に係る内容を容易に一覧可能になると共に、アクセス履歴に対する選択操作を電子番組表の操作に統一でき、良好な操作インタフェースを確保できる。
【００３３】
また、本発明に係るデータ表生成装置において、前記表生成手段は、Ｗｅｂサイトの種類別に前記空欄表の行又は列を分けて、Ｗｅｂサイトの種類に応じたアクセス先データを配置することを特徴とする。
【００３４】
本発明にあっては、Ｗｅｂサイトの種類別に空欄表の行又は列を分けると共に、種類に応じて分けられた箇所にアクセス先データを配置するため、アクセス先データを配置したデータ表の登録内容がＷｅｂサイトの種類ごとに分けて見やすくなり、更に視認性を向上できる。なお、Ｗｅｂサイトの種類にはニュース系、検索系、買い物系などが存在する。また、空欄表の分け方は、配置するアクセス先データが多数存在するときは、行（水平方向の行）ごとに分けてアクセス先データを配置することが登録内容を一覧できるため好適である。また、Ｗｅｂサイトの種類が多数存在するときは、各種類を一覧できるように、列（垂直方向の列）ごとに分けてアクセス先データを配置することが好適となる。
【００３５】
さらに、本発明に係るデータ表生成装置は、前記通信手段によるＷｅｂサイトへのアクセス回数を計数する計数手段を備え、前記表生成手段は、前記計数手段が計数したアクセス回数の大きいＷｅｂサイトの順に従って、一方側から他方側へ該Ｗｅｂサイトに係わるアクセス先データを配置することを特徴とする。
【００３６】
本発明にあっては、空欄表の一方側から他方側へアクセス回数順にアクセス先データが配置されるので、ユーザのアクセス頻度が高いアクセス先を容易に見つけることが可能となり、アクセス先データを配置したデータ表をユーザの使い勝手に応じて見やすくできると共に、選択操作も行いやすくなる。
【００３７】
さらにまた、本発明に係るデータ表生成装置は、前記データ表に配置されたアクセス先データが選択された場合、前記通信手段は選択されたアクセス先データに基づきアクセスを行うことを特徴とする。
【００３８】
本発明にあっては、データ表に配置されたアクセス先データが選択された場合は、アクセス先データに基づきアクセスを行うため、生成したアクセス表に通常のブックマーク及びアクセス履歴と同等の機能を具備させて、ユーザの利便性を高められる。
【００３９】
また、本発明に係るデータ表生成装置は、番組を、番組の内容を表すタイトルデータと関連付けて装置内部の記憶媒体に記憶する処理を行う記憶手段を備え、前記データ表が装置内部の記憶媒体に記憶された記憶内容に係わるデータを含む場合、前記表生成手段は、前記装置内部の記憶媒体に記憶された記憶内容に係わるデータとして、前記タイトルデータを選択可能に配置することを特徴とする。
【００４０】
本発明にあっては、装置内部の記憶媒体に記憶された番組内容のタイトルデータを、空欄表に配置してデータ表を生成するので、装置本体で読み書きできる記憶媒体の記憶内容もデータ表で確認できるようになる。
【００４１】
さらに、本発明に係るデータ表生成装置は、記憶媒体を含む外部の記憶装置に接続されて、外部の記憶装置から送られる記憶内容を表すタイトルデータを取得する取得手段を備え、前記データ表が装置外部の記憶媒体に記憶された記憶内容に係わるデータを含む場合、前記表生成手段は、前記装置外部の記憶媒体に記憶された記憶内容に係わるデータとして、前記タイトルデータを選択可能に配置することを特徴とする。
【００４２】
本発明にあっては、外部の記憶媒体に記憶された内容のタイトルデータを取得して、空欄表の欄に配置するので、データ表生成装置に接続された外部装置の記憶内容もデータ表で確認できるようになる。
【００４３】
また、本発明に係るテレビジョン放送受信装置は、前記のいずれかの記載のデータ表生成装置と、テレビジョン放送番組に係わる放送信号を受信する受信手段とを備えることを特徴とする。
【００４４】
本発明にあっては、テレビジョン放送番組に係わる放送信号の受信が可能な装置が、上述したデータ表生成装置を含むので、各種データ表を、受信した放送信号に基づく映像（画像）の表示に関連付けて、有効に活用することが可能になる。なお、本発明に係るテレビジョン放送受信装置としては、映像の表示部を有するテレビジョン装置、受信した番組等の記憶を行う録画装置等に加えて、放送信号の受信機能を具備する各種情報機器（コンピュータ、ＰＤＡ、携帯電話機等）も該当する。
【００４５】
本発明に係るデータ表生成方法は、データ表生成装置が、格子状の空欄表の欄に電子番組表に係わる番組名を表すデータを配置して、データ表を生成するデータ表生成方法であって、前記データ表生成装置は、装置設定に係わるデータ、Ｗｅｂサイトへのアクセス先に係わるデータ、若しくは装置内部又は外部の記憶媒体に記憶された記憶内容に係わるデータの少なくとも一つを、前記空欄表の欄に配置して、データ表を生成することを特徴とする。
【００４６】
本発明にあっては、電子番組表に用いられる空欄表を他の種類のデータを含む表と共用するので、操作性が電子番組表と同等にでき、各種表の開発及び設計に係るコストの低減も図れる。
【００４７】
また、本発明に係るデータ表生成方法は、データ表生成装置が、格子状の空欄表の欄に電子番組表に係わる番組名を表すデータを複数配置して、データ表を生成するデータ表生成方法であって、前記データ表生成装置は、前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えて、データ表を生成することを特徴とする。
【００４８】
本発明にあっては、空欄表に配置された番組名を表す複数のデータの少なくとも一部を他の種類のデータに置き換えてデータ表を生成するため、複数種類の表を見る際に、各種表を切り替えることが不要になり、ユーザの操作負担を低減できる。
【００４９】
本発明に係るデータ表生成方法は、データ表生成装置が、格子状の空欄表の欄に電子番組表に係わる番組名を表すデータを配置して、データ表を生成するデータ表生成方法であって、前記データ表生成装置は、番組名を表すデータ、装置設定に係わるデータ、Ｗｅｂサイトへのアクセス先に係わるデータ、若しくは装置内部又は外部の記憶媒体に記憶された記憶内容に係わるデータの少なくとも二つを前記空欄表に配置して、データ表を生成することを特徴とする。
【００５０】
本発明にあっては、電子番組表の空欄表に二種類以上のデータを配置するので、ユーザが見たい表の切替を不要にして、ユーザインタフェースの向上を図れる。
【００５１】
本発明に係るコンピュータプログラムは、コンピュータに、格子状の空欄表の欄に電子番組表に係わる番組名を表すデータを配置してデータ表を生成させる処理を行わせるコンピュータプログラムであって、コンピュータを、処理設定に係わるデータ、Ｗｅｂサイトへのアクセス先に係わるデータ、若しくはコンピュータ内部又は外部の記憶媒体に記憶された記憶内容に係わるデータの中から少なくとも一つを前記空欄表に配置してデータ表を生成する表生成手段として機能させることを特徴とする。
【００５２】
本発明にあっては、コンピュータプログラムでコンピュータの処理を規定する場合で、電子番組表に用いられる空欄表を他の種類のデータを含む表と共用するので、操作性を電子番組表と同等にでき、各種表の開発及び設計に係るコストの低減も図れる。
【００５３】
本発明に係るコンピュータプログラムは、コンピュータに、格子状の空欄表の欄に電子番組表に係わる番組名を表すデータを複数配置してデータ表を生成させる処理を行わせるコンピュータプログラムであって、コンピュータを、前記空欄表の欄に配置した前記電子番組表に係わる番組名を表す複数のデータの少なくとも一部を、装置設定に係わるデータ、Ｗｅｂサイトへのアクセス先に係わるデータ、若しくは装置内部又は外部の記憶媒体に記憶された記憶内容に係わるデータの少なくとも一つと置き換えてデータ表を生成する表生成手段として機能させることを特徴とする。
【００５４】
本発明にあっては、コンピュータプログラムでコンピュータの処理を規定する場合で、空欄表に配置した番組名を表す複数のデータの少なくとも一部を他の種類のデータに置き換えてデータ表を生成するので、複数種類の表を見るために、各種表を切り替えることが不要になる。
【００５５】
また、本発明に係るコンピュータプログラムは、コンピュータに、格子状の空欄表の欄に電子番組表に係わる番組名を表すデータを配置してデータ表を生成させる処理を行わせるコンピュータプログラムであって、コンピュータを、番組名を表すデータ、処理設定に係わるデータ、Ｗｅｂサイトへのアクセス先に係わるデータ、若しくはコンピュータ内部又は外部の記憶媒体に記憶された記憶内容に係わるデータの少なくとも二つを前記空欄表に配置してデータ表を生成する表生成手段として機能させることを特徴とする。
【００５６】
本発明にあっては、コンピュータプログラムでコンピュータの処理を規定する場合で、電子番組表の空欄表に二種類以上のデータを配置するので、ユーザが見たい表の切替を不要にして、ユーザインタフェースの向上を図れる。
【発明の効果】
【００５７】
本発明にあっては、装置設定に係わるデータ、Ｗｅｂサイトへのアクセス先に係わるデータ、装置内部又は外部の記憶媒体に記憶された記憶内容に係わるデータの少なくとも一つを、電子番組表で使われる空欄表の欄に配置してデータ表を生成するので、従来の専用の表に比べて、電子番組表と同等の操作性を確保できる。
【００５８】
また、本発明にあっては、既に配置した番組名を表す複数のデータの一部を他のデータに置き換えること、若しくは番組名を表すデータ、装置設定に係わるデータ、Ｗｅｂサイトへのアクセス先に係わるデータ、装置内部又は外部の記憶媒体に記憶された記憶内容に係わるデータの少なくとも二つを電子番組表で使われる空欄表の欄に配置することで、データ表を生成するので、多種類の内容を一度に表示でき、相異する種類の表の切替を不要にできる。
【００５９】
さらに、本発明にあっては、データを配置していない欄を透明的な形態にすると共に、その欄に合わせて下層の画像の寸法及び配置を変更するので、データ表を表示中でも下層の画像を確認でき、画像の状況を確認しながらデータ表の操作も行える。
【００６０】
本発明にあっては、設定項目データ及び設定内容データを、空欄表に配置するので、設定内容を容易に一覧できると共に、設定内容に対する操作を電子番組表の操作と統一でき、さらに、専用の設定メニューを不要にして、装置開発に係るコスト及び設計工数の低減を実現できる。
【００６１】
また、本発明にあっては、設定内容データを、設定項目データと同一の行又は同一の列に配置するので、設定内容の視認性を向上できる。
【００６２】
さらに、本発明にあっては、選択された一の設定内容データを他の設定内容データと相異する形態で表すので、現状の設定内容を容易に確認できる。
【００６３】
本発明にあっては、登録を受け付けたアクセス先データを、電子番組表の生成に使用される空欄表に配置するので、従来のブックマークに比べて登録内容の一覧性を良好にできると共に、登録内容に対する選択操作を電子番組表の操作と統一して良好な操作性を確保できる。
【００６４】
また、本発明にあっては、アクセスの履歴となるアクセス先データを、電子番組表の生成に使用される空欄表に配置するので、従来のアクセス履歴に比べて良好な視認性を確保できると共に、電子番組表と共通の操作性をユーザに提供できる。
【００６５】
本発明にあっては、Ｗｅｂサイトの種類別に空欄表の行又は列を分けて、アクセス先データを配置するので、多数の登録内容が存在しても容易に判別でき、データ表の視認性を向上できる。
【００６６】
また、本発明にあっては、アクセス回数順にアクセス先データを配置するので、ユーザの使い勝手に応じた配置順にできる。
【００６７】
さらに、本発明にあっては、アクセス表に配置されたアクセス先データが選択された場合は、アクセス先データに基づきアクセスを行うため、生成したアクセス先データを配置したデータ表の利便性を向上できる。
【００６８】
本発明にあっては、装置内部の記憶媒体に記憶された番組内容のタイトルデータを、空欄表に配置してデータ表を生成するので、装置本体で処理できる記憶媒体の記憶内容もデータ表で確認できる。
【００６９】
また、本発明にあっては、記憶媒体を含む外部の記憶装置に記憶された内容のタイトルデータを取得して、空欄表の欄に配置するので、データ表生成装置に接続された外部装置の記憶内容もデータ表で確認できる。
【００７０】
さらに、本発明にあっては、放送信号の受信が可能な装置が、データ表生成装置を含むので、受信した放送信号に基づく映像の表示に関連付けて各種データ表を利用できる。
【発明を実施するための最良の形態】
【００７１】
図１は、本発明の実施形態に係るテレビジョン装置１（テレビジョン放送受信装置に該当）の外観を示している。本発明の一例であるテレビジョン装置１は、薄型液晶テレビと称せられるタイプであり、表示デバイスとして液晶を用いた表示パネル１ｂを筐体１ａの前面中央に配置し、表示パネル１ｂの左右両側にスピーカ１ｃ、１ｄを配置する。テレビジョン装置１は一般的な放送番組の受信及び表示機能に加えて、ネットワークＮＷに接続して通信を行う機能も具備し、ネットワーク上に構築されたＷｅｂサイトにアクセスし、アクセス先のＷｅｂページを表示パネル１ｂに表示できる。さらに、テレビジョン装置１は、半導体メモリを用いたメモリカードＫ（記憶媒体）を装置内部に装着できるスロット部（装着部）１ｅを有すると共に、複数の外部記憶装置（図１では第１外部記憶装置Ｇ１、第２外部記憶装置Ｇ２）を接続可能に有している。
【００７２】
また、テレビジョン装置１はデータ表生成装置を内蔵し、放送信号に含まれる電子番組表の番組データ（番組名を表すデータに相当）を取得して電子番組表（本発明ではデータ表の一つ）を生成する。また、本実施形態のテレビジョン装置１は、電子番組表の生成に用いるスプレッドシート状の表データ（空欄表に相当）に、装置設定に係わるデータ、Ｗｅｂサイトへのアクセス先に係わるデータ、及び装置内部又は外部の記憶媒体に記憶された記憶内容に係わるデータの中の少なくとも一つを配置して、各種内容を一覧表示できるデータ表を生成することを特徴にしている。
【００７３】
図２は、テレビジョン装置１の主要な内部構成を示すブロック図である。テレビジョン装置１は、主に受信系の処理を行うフロントエンド部２、受信した内容の移行系の処理を行うトランスポート部３、ＭＰＥＧ（Moving Picture Experts Group）変換系の処理を行うＭＰＥＧデコーダ部４、ＲＯＭ５、ＲＡＭ６、ＦＬＡＳＨメモリ７、リモコン装置１５用の受光部８、操作部９、ネットワーク通信を行うための通信部１０、及び各種制御を行うＣＰＵ１１、メモリカード用の記憶処理部１２、外部接続部１３を、高速データ伝送に対応した２本のメインバス１ｆ、１ｇを介して接続した構成にしている。以下、上述した各部を順次説明する。
【００７４】
フロントエンド部２は、チューナ部２ａ、復調回路部２ｂ、及び誤り訂正部２ｃを含んでいる。チューナ部２ａはＢＳ／ＣＳ系等のアンテナと接続されて、外部の放送設備等から供給される放送信号（番組コンテンツのデータと、番組のタイトル及びジャンル等を表す付帯的なデータを含む）を受信する処理を行う。
【００７５】
チューナ部２ａは、テレビジョン放送番組に係わる放送信号を受信する受信手段に該当し、受信する放送信号の周波数は、ＣＰＵ１１の制御により指定されている。また、本実施形態のチューナ部２ａは、電子番組表の番組データ（ＴＶ用ＥＰＧ−ＤＢ（データベース）に相当）を取得する手段としても機能し、所定の時刻に送信される番組データ（放送信号に付随したデータ）を取得すると共に、取得した番組データをＲＡＭ６へ送る処理も行う。なお、テレビジョン装置１において、フロントエンド部２の少なくともチューナ部２ａを除いた部分（トランスポート部３〜操作部９など）が、本発明に係るデータ表示装置に相当している。
【００７６】
復調回路部２ｂは、チューナ部２ａで受信された放送信号（放送番組に応じたデータ）をデジタル復調する。誤り訂正部２ｃは、デジタル復調された信号の誤りに関する修復及び訂正等の処理を行い、ＭＰＥＧ符号化状態のトランスポートストリームデータとして再生する処理を行う。トランスポート部３は、トランスポートデコーダ部３ａを備え、このトランスポートデコーダ部３ａは、フロントエンド部２から送られるトランスポートストリームデータの処理をＣＰＵ１１の制御に基づき行う。詳しくは、ＭＰＥＧ符号化されているトランスポートストリームデータとして再生されたデータ中の放送映像信号、放送音声信号、及びデータ信号（電子番組表の番組データ等を含む信号）をそれぞれ分離する処理をトランスポートデコーダ部３ａが行っている。
【００７７】
ＭＰＥＧデコーダ部４は、ＭＰＥＧ符号化されている放送映像信号及び放送音声信号を復号化し、図１で示す表示パネル１ｂでの表示処理を行う表示処理部、及びスピーカ１ｃ、１ｄより音声を出力するための処理を行う音声出力処理部へ映像信号及び音声信号をそれぞれ供給するものである。このような処理を行うために、ＭＰＥＧデコーダ部４は、ＭＰＥＧデコーダ４ａ、ＯＳＤ（On Screen Display）表示部４ｂ、ビデオエンコーダ４ｃ、及び音声ＤＡＣ（Digital to Analog Converter）４ｄを備える。
【００７８】
ＭＰＥＧデコーダ４ａは、トランスポートデコーダ部３ａで分離されたＭＰＥＧ符号化状態の放送映像信号及び放送音声信号に対してデータ復調（復号）を行い、復調したデータをビデオエンコーダ４ｃ及び音声ＤＡＣ４ｄへ送っている。ＯＳＤ表示部４ｂは、各種メニュー（図６（ａ）（ｂ）参照）、電子番組表（図５参照）、及び各種データ表（図７、１０、１１、１３、１５等）を表示パネル１ｂに表示するためのＯＳＤ信号を生成してビデオエンコーダ４ｃへ送る処理をＣＰＵ１１の制御に基づき行う。ビデオエンコーダ４ｃは、ＭＰＥＧデコーダ４ａでデータ復調された放送映像信号とＯＳＤ表示部４ｂから供給されるＯＳＤ信号とを重畳した映像信号を生成し、表示処理部へ出力する処理を行う。このようなビデオエンコーダ４ｃ（画像生成手段に相当）の処理により、放送映像信号に基づく放送番組の画像に、ＯＳＤ信号に基づく各種メニュー、電子番組表、各種データ表が重ねられた積層画像が生成される。また、音声ＤＡＣ４ｄは、ＭＰＥＧデコーダ４ａでデータ復調された放送音声信号に基づき音声信号を生成し、音声出力処理部へ出力する処理を行う。
【００７９】
また、ＲＯＭ（Read Only Memory）５は、ＣＰＵ１１が行う基本的な各種制御処理を規定したシステムプログラムＰ１等を予め記憶している。システムプログラムＰ１は、映像表示及び音声出力を行うためにＣＰＵ１１が各部２、３、４等に対して行う制御処理を規定すると共に、各処理に対する設定を行うための処理も規定している。なお、設定に対する処理は、複数の設定項目ごとに行えるようになっている。また、システムプログラムＰ１は、テレビジョン装置１の通信機能に対応したＣＰＵ１１の処理も規定し、例えば、ＴＣＰ／ＩＰプロトコルに基づき通信を行う内容等に対する処理も含んでいる。さらに、システムプログラムＰ１は、記憶処理部１２に対する記憶再生処理、及び外部接続部１３で受け取った各種データの表示処理等も規定している。
【００８０】
ＲＡＭ（Random Access Memory）６は、ＣＰＵ１１が行う処理に基づく各種データ等を一時的に記憶するものであり、本実施形態では、上述したフロントエンド部２で取得されたＴＶ用ＥＰＧ−ＤＢ２０（番組データ）を記憶すると共に、ワークエリアとして各種表の生成に使用される。即ち、ＲＡＭ６では、後述するＦＡＬＳＨメモリ７から読み出された表データＤの空欄表３０にデータを配置して、図５、７、１０、１１、１３に示す各種データ表を生成するエリアとして使用される。
【００８１】
なお、ＲＡＭ６で記憶されるＴＶ用ＥＰＧ−ＤＢ２０は、フロントエンド部２で番組に係るデータが取得されるごとに、データ内容が更新される。また、ＴＶ用ＥＰＧ−ＤＢ２０の中身となるデータは、図５に示す電子番組表３１において、空欄表３０の各欄に配置されるデータに相当し、例えば、左端の列Ｘ１に上から順に配置される「ＣＨ」と云う文字データ、「６」及び「１」等のチャンネルを表す数字データ、列Ｘ２に上から順に配置される「ＢＳ放送局」、「○○放送」等の文字データ、列Ｘ３に上から順に配置される「９／１６（土）午前９時」、「番組Ａ（番組名を表すデータに相当）」等の文字データが該当する。これらのＴＶ用ＥＰＧ−ＤＢ２０に含まれる各データの配置先となる欄は、後述するＦＬＡＳＨメモリ７に記憶される表生成プログラムＰ２が規定する内容に従って決定される。
【００８２】
また、ＲＡＭ６は、各記憶媒体の番組情報用ＤＢ（データベース）２１も記憶する。番組情報用ＤＢ２１は、図１３（ａ）（ｂ）の記憶内容一覧表４３、４４に配置された記憶媒体で記憶される番組名に加えて、録画時間および録画特性等の情報を登録したものであり、これらの情報は、記憶処理部１２又は外部接続部１３が記憶媒体から取得して、ＲＡＭ６の番組情報用ＤＢ２１に記憶される。
【００８３】
また、図３は、ＦＬＡＳＨメモリ７が記憶する各種内容を示している。ＦＬＡＳＨメモリ７は、図５に示す電子番組表及び図７等に示す各種データ表を生成するためのＣＰＵ１１用の処理を規定した表生成プログラムＰ２（ＥＰＧソフト。本発明のコンピュータプログラムに相当）、ブラウザプログラムＰ３および図６（ａ）（ｂ）に示す第１メニュー３５及び第２メニュー３６等に応じたメニュー画像Ｍなどを予め記憶すると共に、表の生成に使用される様々なＤＢ（データベース）およびデータ等を記憶する手段に相当している。なお、メニュー画像Ｍは、図６（ａ）（ｂ）に示す以外の種類のメニューに応じた内容も多数含んでいる。
【００８４】
ＦＬＡＳＨメモリ７に記憶される表生成プログラムＰ２は、ＲＯＭ５に記憶されるシステムプログラムＰ１が規定する処理と連動して様々な表を生成するための処理を規定しており、生成する表は図５の電子番組表３１に応じたデータ表以外に、他の各種データ表として、図７に示すブックマーク一覧表４０（アクセス表に相当）、図１０に示すアクセス履歴表４１（アクセス表に相当）、図１１に示す設定表４２、図１３（ａ）（ｂ）に示す記憶内容一覧表４３、４４、及び図１５に示す各表３１、４０〜４４の少なくとも二つを組み合わせて生成される複合表４５がある。なお、表生成プログラムＰ２には、電子番組表３１を生成するために使用される表データＤが付帯している。
【００８５】
図４は、表データＤの中身を概略的に表した空欄表３０を示している。空欄表３０は、水平方向（図中のＸ方向）及び垂直方向（図中のＹ方向）にそれぞれ伸びる行（Ｙ１、Ｙ２・・・）及び列（Ｘ１、Ｘ２・・・）を有して多数の欄を形成した格子状の表である。空欄表３０は、各欄に様々なデータを配置できる共に、リモコン装置１５による操作で各欄は選択可能になっており、選択された欄に配置されたデータの中身をＣＰＵ１１へ伝達する仕様になっている。なお、空欄表３０に付したＸ１、Ｘ２・・・、Ｙ１、Ｙ２・・・の文字は、説明のために表したものであり、表示パネル１ｂでの表示の際は示されない。また、図４に示した空欄表３０は表の一部であり、列Ｘ８以降に多数の列が続くと共に、行Ｙ８以降にも多数の行が続いている。
【００８６】
図３に戻り、ＦＬＡＳＨメモリ７に記憶されるブラウザプログラムＰ３は、Ｗｅｂサイトのブラウジングに関してＣＰＵ１１が行う各種処理内容を規定したものであり、具体的には、所定のＷｅｂサイトへアクセスするための処理、アクセスした情報（Ｗｅｂサイト名、ＵＲＬ、アクセス回数、アクセス日時等）の履歴を保存するための処理、受信したＷｅｂサイトデータを表示パネル１ｂで表示するための処理、所望のＷｅｂサイトをブックマークとして登録する処理等を規定している。
【００８７】
さらに、ＦＬＡＳＨメモリ７は、ＵＲＬ−ＤＢ（データベース）２２と、設定用ＤＢ（データベース）２３を記憶している。ＵＲＬ―ＤＢ２２には、図７のブックマーク一覧表４０で使用される分類データ２２ａ、ブックマーク一覧表４０及び図１０のアクセス履歴表４１で使用されるアクセス先データ２４、並びにアクセス履歴表４１で使用される順位データ２２ｂ等が格納されている。また、設定用ＤＢ（データベース）２３には、図１１の設定表４２で使用される設定項目データ２３ａおよび設定内容データ２３ｂ等が格納されている。以下、各データの中身を説明する。
【００８８】
ＵＲＬ―ＤＢ２２に格納される分類データ２２ａの中身は、図７のブックマーク一覧表４０における左端の列Ｘ１に順次配置される「新聞系」、「検索系」、「買物系」、「ＴＶ系」、「リンク系」、「その他」と云うＷｅｂサイトの種類を表す文字データが該当し、これらの文字データはデフォルトとしてＵＲＬ―ＤＢ２２に格納されている。なお、分類データ２２ａの中身となる文字データは、ユーザによる分類追加操作によって適宜追加可能になっている。
【００８９】
ＵＲＬ―ＤＢ２２に格納されるアクセス先データ２４は、ネットワークＮＷ上の構築されたＷｅｂサイトへアクセスに要するための情報（ＵＲＬ）等を含むデータ（Ｗｅｂサイトへのアクセス先に係わるデータに相当）であり、アクセスしたＷｅｂサイトごとのサイトデータを束ねた内容になっている。
【００９０】
図９は、アクセス先データ２４に含まれる個々のサイトデータ２４ａ、２４ｂ等の中身を示している。個々のサイトデータ２４ａ、２４ｂは今までにアクセスしたＷｅｂサイトごとに対応したアクセスに係る情報であり、例えば１つ目のサイトデータ２４ａには、Ｗｅｂサイト名として「△△新聞」、ＵＲＬとして「ｈｔｔｐ：／／ｗｗｗ・・・」、図７のブックマーク一覧表４０における配置欄として「Ｘ２、Ｙ１」、今までのアクセス回数として「３８」、最新のアクセス日時として「2006.03.28」が登録された内容になっている。また、２つめのサイトデータ２４ｂにもＷｅｂサイト名、ＵＲＬ、配置欄、アクセス回数、アクセス日時にそれぞれ対応した内容が登録されている。なお、ブックマーク一覧表４０に未登録のサイトデータは、配置欄に何も登録されていない（サイトデータ２４ｘ参照）。これら、アクセス先データ２４に含まれる各サイトデータ２４ａ、２４ｂ・・・の内容は、各Ｗｅｂサイトへのアクセスに応じてアクセス回数及びアクセス日時が随時更新されると共に、新たにブックマーク一覧表４０へ登録になった場合は配置欄に配置箇所の情報が追加される。さらに、新しいＷｅｂサイトへアクセスするごとにアクセスしたサイトデータが、アクセス先データ２４としてＵＲＬ―ＤＢ２２に追加される。
【００９１】
図３のＵＲＬ―ＤＢ２２に格納される順位データ２２ｂは、図１０のアクセス履歴表４１における左端の列Ｘ１に配置される「１〜４位」、「５〜８位」、「９〜１２位」等の文字データであり、これらの文字データはデフォルトでＵＲＬ―ＤＢ２２に格納されている。
【００９２】
また、設定用ＤＢ２３に格納される設定項目データ２３ａは、テレビジョン装置１の装置設定に係わるデータの中の設定可能な項目を表すデータであり、具体的には、図１１の設定表４２における左端の列Ｘ１に配置される「映像」、「黒レベル」、「色の濃さ」、「色あい」、「画質」、「赤」、「緑」、「青」と云う文字データに該当する。なお、設定項目データ２３ａはデフォルトでＦＬＡＳＨメモリ７に記憶されていると共に、各文字データには、設定表４２における配置欄を特定する位置情報（例えば、「Ｘ１、Ｙ１」、「Ｘ１、Ｙ２」等）が付随している。
【００９３】
さらに、設定用ＤＢ２３に格納される設定内容データ２３ｂは、図１１の設定表４２における左から２番目以降の列Ｘ２、Ｘ３等に配置される「−３」、「−２」等の複数の数字（パラメータ）のデータであり、装置設定に係わるデータの一つとして、設定項目データ２３ａの項目ごとに対応して設定されるレベル内容を数値で表したデータになっている。なお、各数字データは、設定項目データ２３ａの「映像」、「黒レベル」等の項目を表す各文字データに対応すると共に、設定表４２において設定対象の項目と同一の行に配置されるように、設定表４２における配置欄を特定する位置情報が付随する。具体的には、設定表４２において最上段の行Ｙ１に配置される「映像」と云う項目に対応する「−３」〜「３」の各数字データは、最上段の行Ｙ１に順次配置されるように「Ｘ２、Ｙ１」、「Ｘ３、Ｙ１」・・・と云う位置情報（座標情報）が付随している。さらに、各数字データは、対象となる項目において設定中のものを表すためにフラグ情報も付随し、設定中のものはフラグ情報が「１」、設定されていないものはフラグ情報が「０」と云う内容になる。そのため、例えば、「映像」の項目の設定が「０」であれば、「０」の数字データのフラグ情報のみが「１」になり、他の数字データのフラグ情報は「０」になる。
【００９４】
なお、ＦＬＡＳＨメモリ７に記憶されるデータは、上記以外にも各種表で用いられる文字データが存在し、例えば、図１３（ａ）（ｂ）に示す記憶内容一覧表４３、４４における左端の列Ｘ１に上から順に配置される「記憶媒体」「メモリカード」「ＨＤＤ１」「ＤＶＤ１」等の文字データ、上段の行Ｙ１の左から２列目の列Ｘ２以降の「タイトル１」「タイトル２」等の文字データ、および図１５の複合表４５で配置される「記憶内容」「設定」等の文字データが該当する。これらの文字データの配置先となる空欄表３０の位置は、表生成プログラムＰ２に規定された内容に従って決定される。
【００９５】
なお、図２において、ＦＬＡＳＨメモリ７は太いメインバス１ｆと接続されて、単位時間当たり８ビット、１６ビット、３２ビットのいずれかの伝送速度で適宜データの送受を行って、ＣＰＵ１１を経由する各種内部処理の高速化を実現し、各種映像又は各種データ表などの表示をスムーズに行えるようにしている。また、ＲＡＭ６と太いメインバス１ｆとの間、およびフロントエンド部２と太いメインバス１ｇとの間におけるデータ送受も、上記と同様に高速化されており、各種データがＣＰＵ１１を経由して高速に伝送される。
【００９６】
また、本実施形態のようにＣＰＵ１１を、フロントエンド部２、ＲＡＭ６およびＦＬＡＳＨメモリ７と、高速の太い中継線（図中、太線で示す）および２本の高速なメインバス１ｇ、１ｆ（図中、太線で示す）で接続して高速のデータ伝送を確保する替わりに、ＣＰＵ１１を介さずに所定の各部を直接的に接続するＤＭＡ（Direct Memory Access）と称される技術を本発明に適用することも勿論可能である。ＤＭＡを用いた場合の一例は、図２中、波線で示されており、ＲＡＭ６と、ＯＳＤ表示部４ｂおよびビデオエンコーダ４ｃとを接続して、ＣＰＵ１１を介さずにデータ伝送を行い、各種データ表又は映像の表示を早く処理するように各部を直接的に制御してもよい。
【００９７】
さらに図２に示す受光部８は、テレビジョン装置１の筐体１ａとは別体のリモコン装置１５から遠隔操作用の信号光（赤外光）を受光するものであり、受光した信号光に含まれる操作内容をＣＰＵ１１へ伝える処理を行う。
【００９８】
リモコン装置１５は上下左右キー、決定キー、電子番組表３１の表示指示を受け付ける番組表キー１５ａ、ブックマーク一覧表４０の表示指示を受け付けるブックマークキー１５ｂ、アクセス履歴表４１の表示指示を受け付けるアクセス履歴キー１５ｃ、及び各種設定を行うための設定表４２の表示指示を受け付ける設定キー１５ｄ、記憶媒体（メモリカードＫ、外部記憶装置Ｇ１、Ｇ２）に記憶された内容の記憶内容一覧表４３、４４（図１３（ａ）（ｂ）参照）の表示指示を受け付ける記憶タイトルキー１５ｅ等の多数のキーを具備している。また、リモコン装置１５は現在、アクセスしているＷｅｂサイトをブックマークとして登録する操作指示を受け付けるための登録キー１５ｆ（登録受付手段に相当）も具備する。さらに、リモコン装置１５は図示していないが、表示中の各表３１、４１、４２等を消去するＯＳＤ非表示キー、図１５に示すように複数の表内容を組み合わせた複合表４６を表示するための複合キー等も具備している。なお、装置本体に設けられる操作部９は、音量調整、チャンネル調整、入力切替等に対応した複数の操作キーから構成されており、図１に示す筐体１ａの上部に設置される。
【００９９】
通信部１０は、ネットワークＮＷに接続される通信インタフェースを含み、ネットワークＮＷ上のＷｅｂサイトへ、アクセス先データに基づきアクセスする通信手段として機能し、ＣＰＵ１１の制御に基づき指定されるサーバへアクセスして各種データを送受する。なお、テレビジョン装置１がインターネットを通じた放送（例えば、インターネットテレビ等）に対応する場合では、通信部１０が放送信号を受信する手段にも該当し、ネットワークＮＷを通じて配信されてきた信号（放送信号）を、装置内部でＣＰＵ１１を経由してＭＰＥＧデコーダ部４へ送り、放送信号に基づく番組画像を表示可能にしている。
【０１００】
メインバス１ｇに接続される記憶処理部１２は、スロット部１ｅに装着されたメモリカードＫ（記憶媒体）に対してデータの記憶（書き込む）処理、メモリカードＫに記憶されているデータを読み出す処理を行うものである。データを記憶する処理では、例えばＭＰＥＧデコーダ部４で復号化された放送番組の内容（データ）を装置内部のメモリカードＫに記憶する処理を行い、また、データを読み出す処理では、メモリカードＫに記憶された放送番組の内容（データ）を順次読み出して、ＭＰＥＧデコーダ部４へ送って表示再生できるようにしている。
【０１０１】
図１２は、記憶処理部１２によりメモリカードＫに記憶された放送番組（データ）の記憶状態を模式的に表したものである。記憶処理部１２は、フロントエンド部２のチューナ部２ａで受信された放送番組のデータを記憶する際、番組自体のコンテンツデータと、番組のタイトルを表すタイトルデータ及び番組のジャンルを表すジャンルデータを関連付けて記憶する。例えば、１つ目に記憶されている放送番組データ１７においては、番組自体のコンテンツデータ１７ｃ（「コンテンツ１」が相当）に対応付けて、タイトルデータ（「世界陸上」が相当）１７ａ及びジャンルデータ（「スポーツ」が相当）１７ｂが記憶されており、２つ目以降の放送番組データも同様である。
【０１０２】
再度、図２に戻り各部の説明を続ける。外部接続部１３は、外部の様々な機器との接続を行う接続端子であり（例えば、IEEE1394規格に応じた接続端子）、外部機器から送られる各種コンテンツデータ（画像データ、音声データ）及びコンテンツのタイトルを表すタイトルデータ等を取得する。外部接続部１３は、外部から取得したコンテンツデータをＭＰＥＧデコーダ部４へ送る処理を行い、それによりテレビジョン装置１で外部機器のデータの画像表示及び音声出力を行えるようにしている。本実施形態の外部接続部１３は、複数の外部機器と接続可能な構造になっており、図１、図２に示す状態では、第１外部記憶装置Ｇ１及び第２外部記憶装置Ｇ２と接続されている。
【０１０３】
なお、図２に示す各外部記憶装置Ｇ１、Ｇ２はいずれも、１つ目の外部の記憶媒体としてハードディスク装置（HDD）を内蔵して各種データを記憶できると共に、２つ目の外部の記憶媒体としてＤＶＤを装着可能にして、装着したＤＶＤに各種データを記憶できるようになっている。また、各外部記憶装置Ｇ１、Ｇ２は、放送番組のデータを記憶する場合は、上述したメモリカードＫと同様に、コンテンツデータと、タイトルデータ（番組の内容を表すデータ）及びジャンルデータを関連付けて記憶する仕様になっている。
【０１０４】
最後にＣＰＵ１１は、上述した各部２、３・・・１０、１２、１３を制御して表示パネル１ｂにユーザが望む画像（例えば、放送信号による番組画像、Ｗｅｂサイトの画像等）を表示する処理を行うと共に、スピーカ１ｃ、１ｄから各種音声を出力するための制御処理を行う。これらテレビジョン装置１としての基本的な作動内容に対して、ＣＰＵ１１は主にＲＯＭ５に記憶されるシステムプログラムＰ１の規定内容に基づき制御を行う。また、ＣＰＵ１１は表作成プログラムＰ２が規定する処理内容により、本発明の特徴となる表生成手段としても機能し、図５の電子番組表３１の生成に使用される空欄表３０（図４参照）の表データＤを、図７のブックマーク一覧表４０、図１０のアクセス履歴表４１、図１１の設定表４２、図１３（ａ）（ｂ）の記憶内容一覧表４３、４４、及び図１５の複合表４５等の生成にも使用する制御を行う。以下、ＣＰＵ１１の制御に基づく各３１、４０〜４５の生成等に関する処理内容を順番に説明する。
【０１０５】
先ず、図５の電子番組表３１を生成する処理は、リモコン装置１５の番組表キー１５ａがユーザにより操作されることで開始する。番組表キー１５ａがユーザに操作されたことがＣＰＵ１１へ伝えられると、表作成プログラムＰ２（ＥＰＧソフト）が起動し、ＣＰＵ１１はＲＯＭ５から表データＤを読み出してＲＡＭ６に空欄表３０として展開すると共に、ＲＡＭ６に記憶されたＴＶ用ＥＰＧ−ＤＢ２０から電子番組表３１の生成に必要な内容を読み出し、読み出した各種内容を空欄表３０の各欄に適宜配置して図５に示す電子番組表３１を生成する。それからＣＰＵ１１は、生成した電子番組表３１をＯＳＤ表示部４ｂへ送り、ＯＳＤとして電子番組表３１を表示パネル１ｂに表示する。なお、表示パネル１ｂに表示された状態ではＯＳＤ表示部４ｂにおける処理により、電子番組表３１には上下スクロールバー３２ａ及び左右スクロールバー３２ｂが追加されており、各スクロールバー３２ａ、３２ｂをリモコン装置１５で操作することで、空欄表３０に各種内容が配置された範囲で電子番組表３１をスクロール可能にしている（スクロールについては、他の表４０〜４４等でも同様）。
【０１０６】
また、電子番組表３１の各欄に配置された内容は、リモコン装置１５の上下左右キー及び決定キーにより選択可能になっており、例えば、電子番組表３１中の番組Ｂが選択された場合、選択内容に応じたチャンネルをＣＰＵ１１は、ＴＶ用ＥＰＧ−ＤＢ２０から取得すると共に、取得したチャンネルで選局動作を行うように、フロントエンド部２のチューナ部２ａを制御して、番組Ｂの△△テレビを受信する。
【０１０７】
次に、図７のブックマーク一覧表４０を生成する処理（データ表生成方法の処理に相当）を説明する。ブックマーク一覧表４０の生成は、リモコン装置１５のブックマークキー１５ｂがユーザに操作されることで開始する。ブックマークキー１５ｂがユーザに操作されたことがＣＰＵ１１へ伝えられると、表作成プログラムＰ２（ＥＰＧソフト）が起動し、ＣＰＵ１１はＲＯＭ５から表データＤを読み出してＲＡＭ６に空欄表３０として展開すると共に、ＦＬＡＳＨメモリ７のＵＲＬ−ＤＢ２２に格納された分類データ２２ａ及びアクセス先データ２４を読み出し、各データ２２ａ、２４に含まれる内容を空欄表３０の各欄に適宜配置してブックマーク一覧表４０を生成する。この生成処理において、ＣＰＵ１１は表生成プログラムＰ２の規定により、分類データ２２ａのＷｅｂサイトの種類（分類）を表す内容（文字）を左端の列Ｘ１に配置すると共に、アクセス先データ２４に含まれる各サイトデータ２４ａ、２４ｂ等のＷｅｂサイト名を所定の欄（図９に示すサイトデータごとに指定される配置欄）に配置する制御を行う。
【０１０８】
生成したブックマーク一覧表４０は電子番組表３１の場合と同様に、ＯＳＤ表示部４ｂへ送られ、ＯＳＤ表示部４ｂで上下左右のスクロールバー（図７では示さず）が付加された状態で表示パネル１ｂに表示される。また、表示されたブックマーク一覧表４０の各欄に配置されるＷｅｂサイト名は、リモコン装置１５の操作により選択可能であり、Ｗｅｂサイト名が選択されると、そのＷｅｂサイト名に係るサイトデータ２４ａ等（図９参照）のＵＲＬをＣＰＵ１１は、ＵＲＬ−ＤＢ２２から取得すると共に、ブラウザプログラムＰ３を起動させ、取得したＵＲＬをブラウザプログラムＰ３で用いて、通信部１０からアクセスを行い、テレビジョン装置１は選択されたＷｅｂサイト名のサイトページを表示パネル１ｂに表示する。
【０１０９】
なお、ブックマークへのアクセス先データ２４の登録は、図８のフローチャートに示す一連の処理に基づき行われる。このフローチャートの処理は、ＦＬＡＳＨメモリ７に予め記憶されるブラウザプログラムＰ３により規定されており、Ｗｅｂサイトにアクセスしている状態からの処理を図８で示している。以下、このフローチャートに基づきブックマーク登録に係る処理を説明する。先ず、アクセス中の表示パネル１ｂに表示されたＷｅｂサイトをブックマークに登録する操作（リモコン装置１５の登録キー１５ｆを押し下げる操作）があったか否かを、テレビジョン装置１のＣＰＵ１１が判断する（Ｓ１）。登録キー１５ｆの操作が無い場合（Ｓ１：ＮＯ）、テレビジョン装置１は操作待ちの状態になる。
【０１１０】
また、登録キー１５ｆの操作があった場合（Ｓ１：ＹＥＳ）、ＣＰＵ１１はＲＯＭ５に記憶されているメニュー画像Ｍを読み出して図６（ａ）に示す第１メニュー３５を表示パネル１ｂにＯＳＤで表示し（Ｓ２）、現在のＷｅｂサイトの登録先として、第１メニュー３５中の第１選択ボタン３５ａ〜第６選択ボタン３５ｆの各分類、又は第７ボタン３５ｇの新たな分類生成のいずれが、リモコン装置１５の上下左右キー及び決定キーの操作により選択されたかを待つ状態になる（Ｓ３）。
【０１１１】
第１選択ボタン３５ａ〜第６選択ボタン３５ｆのいずれかが選択された場合（Ｓ３：分類選択）、ＣＰＵ１１は図７のブックマーク一覧表４０において、選択された分類と同一の行で且つ空欄中の最も左側の欄を、表示中のＷｅｂサイトの登録箇所として決定する（Ｓ４）。例えば、図６（ａ）の第１メニュー３５で新聞系の第１ボタン３５ａが選択されて、そのときのブックマーク一覧表４０が図７に示す内容である場合、新たに登録されるＷｅｂサイトの配置箇所は「Ｘ４、Ｙ１」の欄に決定される。なお、このように決定された欄の情報（「Ｘ４、Ｙ１」）は、図９に示すアクセス先データ２４に含まれるアクセス中のＷｅｂサイトに対応するサイトデータの今まで空欄であった配置欄に、ＣＰＵ１１の制御により追加される。
【０１１２】
一方、図６（ａ）の第１メニュー３５において、新たな分類生成に応じた第７ボタン３５ｇが選択された場合（Ｓ３：分類生成）、ＣＰＵ１１は、図６（ｂ）の第２メニュー３６をＯＳＤ表示し、新たな分類（分類名称）の入力を受け付ける（Ｓ５）。また、ＣＰＵ１１は、新たな分類をＲＯＭ５に記憶される分類データ２２ａに追加すると共に、その分類の配置箇所をブックマーク一覧表４０における「その他」の下の欄として決定する（Ｓ６）。さらに、ＣＰＵ１１は、アクセス中のＷｅｂサイトの登録箇所を、新たな分類の欄と同一の行における左側の欄にすることを決定する（Ｓ７）。よって、例えば、第２メニュー３６で新たな分類として「スポーツ系」が入力されて、そのときのブックマーク一覧表４０が図７に示す内容である場合、「スポーツ系」と云う分類は、「その他」の下方の欄である「Ｘ１、Ｙ７」に配置され、アクセス中のＷｅｂサイトは「スポーツ系」と同一行となる行Ｙ７で、左側の列Ｘ２が配置欄として登録されることになる。
【０１１３】
また、ＣＰＵ１１が行う図１０のアクセス履歴表４１の生成処理（データ表生成方法の処理に相当）は以下のような内容である。アクセス履歴表４１の生成は、リモコン装置１５のアクセス履歴キー１５ｃがユーザに操作されることで開始される。アクセス履歴キー１５ｃの操作がＣＰＵ１１へ伝えられると、表作成プログラムＰ２（ＥＰＧソフト）が起動し、ＣＰＵ１１はＲＯＭ５から表データＤを読み出してＲＡＭ６に空欄表３０として展開すると共に、ＦＬＡＳＨメモリ７ＵＲＬ−ＤＢ２２に格納されたアクセス先データ２４及び順位データ２２ｂを読み出し、各データ２２、２３に含まれる内容を空欄表３０の各欄に配置し、アクセス履歴表４１を生成する。
【０１１４】
上述した処理の具体的な配置処理として、ＣＰＵ１１は表生成プログラムＰ２の規定により、順位データ２２ｂの順位を表す内容（文字）である「１〜４位」、「５〜８位」、「９〜１２位」等を左端の列Ｘ１で上方の行Ｙ１から順に配置する。さらに、ＣＰＵ１１は計数手段として、図９に示すアクセス先データ２４に含まれる全サイトデータ２４ａ、２４ｂ等のアクセス回数に格納された数値を計数して比較し、全サイトデータ２４ａ、２４ｂ等のＷｅｂサイト名をアクセス回数が大きい順に並べて、「Ｘ２、Ｙ１」、「Ｘ３、Ｙ１」、「Ｘ４、Ｙ１」、「Ｘ２、Ｙ２」・・・と云うように列Ｘ２（一方側）〜列Ｘ４（他方側）の方向へ順次行Ｙ１から下方へ、並べた順に配置する。
【０１１５】
生成したアクセス履歴表４１は、ＯＳＤ表示部４ｂへ送られ、ＯＳＤ表示部４ｂで上下スクロールバーが付加された状態で表示パネル１ｂに表示される。また、表示されたアクセス履歴表４１の各欄に配置されるＷｅｂサイト名は、上述したブックマーク一覧表４０と同様にリモコン装置１５の操作により選択可能である。選択された場合、そのＷｅｂサイト名に係るＵＲＬをＣＰＵ１１は、ＵＲＬ−ＤＢ２２から取得すると共に、ブラウザプログラムＰ３を起動させ、取得したＵＲＬをブラウザプログラムＰ３で用いて、通信部１０からアクセスを行い、サイトページを表示する。なお、アクセス履歴表４１において、配置箇所の決定に使用されるアクセス回数は、Ｗｅｂサイトへアクセスするごとに、そのＷｅｂサイトのサイトデータ２４ａ、２４ｂ等のアクセス回数に格納されている数値に「１」を加える処理がＣＰＵ１１の制御により行われる。
【０１１６】
さらに、図１１の設定表４２の生成処理（データ表生成方法の処理に相当）を説明する。設定表４２の生成は、リモコン装置１５の設定キー１５ｄがユーザに操作されることで開始される。設定キー１５ｄの操作がＣＰＵ１１へ伝えられると、表作成プログラムＰ２（ＥＰＧソフト）が起動し、ＣＰＵ１１はＲＯＭ５から表データＤを読み出してＲＡＭ６に空欄表３０として展開すると共に、ＦＬＡＳＨメモリ７の設定用ＤＢ２３に格納された設定項目データ２３ａ及び設定内容データ２３ｂを読み出し、各データ２３ａ、２３ｂに含まれる内容を空欄表３０の各欄に配置し、設定項目ごとに複数の設定内容を配置した設定表４２を生成する。
【０１１７】
上述した処理の具体的な配置処理として、ＣＰＵ１１は表生成プログラムＰ２の規定により、設定項目データ２３ａの「映像」、「黒レベル」、「色の濃さ」、「色あい」、「画質」、「赤」、「緑」、「青」と云う文字データを左端の列Ｘ１に上から順番に配置する制御を行う。さらに、ＣＰＵ１１は、設定内容データ２３ｂの「−３」、「−２」等の複数の数字データを、各数字データに付随する位置情報が規定する欄に配置すると共に、付随するフラグ情報が「１」である欄のみを、他と相異する色（図１１では灰色）の背景色にする。
【０１１８】
生成した設定表４２はＯＳＤ表示部４ｂへ送られ、ＯＳＤ表示部４ｂで上下スクロールバーが付加された状態で表示パネル１ｂに表示される。さらに、表示された設定表４２の各欄に配置される数字データはリモコン装置１５の操作により選択可能であり、選択された場合、選択された数字データを設定用ＤＢ２３から取得すると共に、選択された数字データに対応する項目に応じた処理部（ビデオエンコーダ４ｃ又は表示処理部等）の処理レベルを調整する制御をＣＰＵ１１が行い、ユーザの所望するレベルへ画質等を調整する。また、上述した数字データの選択に合わせて、その数字データのフラグ情報が、今まで「１」となっていたフラグ情報に替わって「１」になり、欄の背景色も灰色になる。このように欄の背景色が灰色になって他の欄と相異する形態にすることで、現在の設定レベルがユーザに一目で分かるようになる。なお、ＣＰＵ１１は、フラグ情報が「１」である数字データを各設定項目の設定内容と把握し、把握したレベルで表示等を行えるように各種制御処理を行う。また、図１１中の太枠の欄（Ｘ４、Ｙ１）は、現在のカーソル位置（リモコン装置１５の上下左右キーで移動する選択対象位置）を示している。
【０１１９】
さらにまた、図１３（ａ）（ｂ）の記憶内容一覧表４３、４４の生成処理（データ表生成方法の処理に相当）を説明する。記憶内容一覧表４３、４４の生成は、リモコン装置１５の記憶タイトルキー１５ｅがユーザに操作されることで開始される。記憶タイトルキー１５ｅの操作がＣＰＵ１１へ伝えられると、表作成プログラムＰ２（ＥＰＧソフト）が起動し、ＣＰＵ１１はＲＯＭ５から表データＤを読み出してＲＡＭ６に空欄表３０として展開すると共に、記憶処理部１２及び外部接続部１３を通じてアクセス可能な記憶媒体を検知する。具体的にＣＰＵ１１は、記憶処理部１２にメモリカードＫが装着されてアクセス可能な状態であるかを検知すると共に、外部接続部１３に接続された外部記憶装置Ｇ１、Ｇ２が電源ＯＮの状態であり、内蔵されたハードディスク装置及び装着されたＤＶＤがアクセス可能な状態であるかを検知する。
【０１２０】
ＣＰＵ１１は検知の結果、メモリカードＫ、外部記憶装置Ｇ１、Ｇ２に内蔵のハードディスク装置、及び外部記憶装置Ｇ１、Ｇ２に装着されるＤＶＤの中からアクセス可能な記憶媒体を特定し、特定した記憶媒体に記憶された放送番組の番組名、時間および録画特性等のデータを取得して、取得した内容をＲＡＭ６に記憶する番組情報用ＤＢ２１に格納する。それから、ＣＰＵ１１は、番組情報ＤＢ用２１に格納された所定のデータ及びＦＬＡＳＨメモリ７に記憶された所定の文字データを読み出し、読み出した各データを空欄表３０の各欄に配置して、記憶媒体の種類ごとに番組内容（タイトル名）を配置した記憶内容一覧表４３、４４を生成する。なお、図１３（ｂ）の記憶内容一覧表４４は、アクセス可能な記憶媒体に記憶された放送番組が少ない場合に生成される表を示しており、空欄表３０がテレビジョン装置１の表示パネル１ｂに表示される範囲の中でデータが配置されない欄（列Ｘ４以降の範囲）があるとき、ＣＰＵ１１は、データが配置されていな欄を区分けする線を非表示にすると共に、各欄の背景部を構成するプレーンに係る透明度（アルファ値）を変更し、各欄に応じた表部分４４ａを透明的な形態（透明又は半透明して下側の画像が透過して映る状態）にする。
【０１２１】
生成された記憶内容一覧表４３、４４はＯＳＤ表示部４ｂへ送られ、ＯＳＤ表示部４ｂで上下スクロールバーが付加された状態で表示パネル１ｂに表示される。さらに、表示された記憶内容一覧表４３、４４の各欄に配置されるタイトルデータはリモコン装置１５の操作により選択可能である。選択された場合、そのタイトルデータの再生指示が、コンテンツの記憶先に基づき記憶処理部１２、若しくは外部接続部１３を通じて第１外部記憶装置Ｇ１又は第２外部記憶装置Ｇ２へ送られ、再生指示が送られた先で再生処理が行われてから、再生対象となるコンテンツのビデオ（MPEG）信号がトランスポート部３へ送られて再生処理が開始され、表示パネル１ｂでは、再生されたコンテンツの映像が表示される。なお、表示している記憶内容一覧表４３、４４は、リモコン装置１５に設けられたＯＳＤ非表示キーを操作することで非表示になる。
【０１２２】
また、図１３（ａ）（ｂ）の記憶内容一覧表４３、４４の各欄に配置されたタイトルデータのいずれかが選択されて、そのタイトルデータに対応するコンテンツデータの再生が開始されて図１４（ａ）に示すような番組画像５０の表示処理が行われる。この場合、図１３（ｂ）の記憶内容一覧表４４に基づき図１４（ａ）の番組画像５０の表示処理が行われるときは、番組画像５０に記憶内容一覧表４４を積層した積層画像がビデオエンコーダ４ｃで生成される。その際、下層の番組画像５０が、記憶内容一覧表４４のデータが配置されていない欄に応じた表部分４４ａに位置するように、番組画像５０の寸法及び配置が変更される。即ち、番組画像５０が図２に示すＭＰＥＧデコーダ４ａからビデオエンコーダ４ｃに転送する過程でスケーリングが行われ、番組画像５０の寸法が表部分４４ａの大きさに合うように変更されると共に、番組画像５０の位置が表部分４４ａに合うように配置される処理が行われる。その結果、テレビジョン装置１の表示パネル１ｂで表示される記憶内容一覧表４４は、図１４（ｂ）に示す状態になり、記憶内容一覧表４４の透明的な表部分４４ａには、下層の番組画像５０が透過して現れる。そのため、記憶内容一覧表４４を表示しても、選択したタイトルデータの番組内容をユーザが確認でき、また、その状態でも、記憶内容一覧表４４は、空欄表３０が有する各欄の構成を壊すことなく維持している。なお、図１３（ｂ）及び図１４（ｂ）に示すように、データ配置されていない欄を透明的な形態にする処理は、上述した電子番組表３１、ブックマーク一覧表４０、アクセス履歴表４１、設定表４２に対しても同様に適用可能である。
【０１２３】
最後に、図１５に示す複合表４５の生成処理（データ表生成方法の処理に相当）を説明する。図１５の複合表４５は、図１４（ｂ）に示す状態に相当する記憶内容一覧表４４と、図１１に示す状態に相当する設定表４２が組み合わされた構成になっており、リモコン装置１５の複合キーがユーザに操作されてから、記憶タイトルキー１５ｅ及び設定キー１５ｄの操作がＣＰＵ１１へ伝えられると、ＣＰＵ１１は各表４４、４２の生成に係る処理を行って、空欄表３０の上部３０ａに記憶内容一覧表４４用の各データを配置すると共に、下部３０ｂに設定表４２用の各データを配置して複合表４５を生成する。生成された複合表４５は、上記と同様にＯＳＤ表示部４ｂに送られて、最終的に表示パネル１ｂに表示される。
【０１２４】
複合表４５が表示された状態で、上部３０ａの記憶内容一覧表４４中のいずれかのタイトルデータがリモコン装置１５の操作により選択されると、タイトルデータに応じた番組の再生が行われて番組画像５０が表示され、表部分４４ａに番組画像５０が透過して映る状態になる。また、この状態で下部３０ｂの設定表４２中の「映像」、「黒レベル」、「色の濃さ」、「色あい」、「画質」、「赤」、「緑」、「青」に対する設定操作が行われると、表部分４４ａに映る番組画像５０に、設定操作の内容が反映されるため、ユーザは各種設定操作の状況をスムーズに確認できる。
【０１２５】
なお、図１５に示す複合表４５は、本実施形態のテレビジョン装置１が生成できる一例であり、リモコン装置１５で所望のキー操作を行うことにより、電子番組表３１、ブックマーク一覧表４０、アクセス履歴表４１、設定表４２、記憶内容一覧表４３、４４の少なくとも二つを組み合わせた表内容にすることが可能である。特にテレビジョン装置１の表示パネル１ｂの解像度が大きい場合（例えば、縦方向が１０８０画素以上、横方向が１９２０画素以上の場合）、三つ以上の表を組み合わせて複合表４５を生成して表示することも可能になる。なお、少なくとも二つを組み合わせて表（データ表）を生成する場合は、各データを配置する空欄表は、電子番組表のものを用いる以外に、各種データの配置に最適な共用の空欄表を適用することも可能である。
【０１２６】
このように本発明に係るテレビジョン装置１は、電子番組表３１に使う空欄表３０を、ブックマーク一覧表４０、アクセス履歴表４１、設定表４２、記憶内容一覧表４３、４４、及び複合表４５にも利用するので、ブックマーク一覧表４０、アクセス履歴表４１、設定表４２、記憶内容一覧表４３、４４、及び複合表４５に対する操作性が、電子番組表３１と共通化され、ユーザの使い勝手が向上している。また、空欄表３０は、多数の番組内容を一度に表示する必要性から格子状に複数の欄を設けた構成であるため、このような空欄表３０の構成を、そのまま適用することで、ブックマーク一覧表４０、アクセス履歴表４１、設定表４２、記憶内容一覧表４３、４４、及び複合表４５においても、表に含まれる内容を一画面で多数表示可能となり、高い一覧性を確保できる。さらに、テレビジョン装置１を設計するメーカ側としては、ブックマークの登録内容、アクセス履歴、設定内容及び記憶媒体の記憶内容に対して従来、専用のメニュー等を生成していたが、そのような専用のメニュー等は不要となり、一度生成した空欄表３０の表データＤ及び表生成プログラムＰ２を多様な対象に共用化して、開発コスト及び開発工期を削減できると共に、内容を改良する場合は、一度の改良を多くの対象に反映できる。
【０１２７】
なお、本発明は、上述した説明内容に限定されるものではなく、種々の変形例が存在する。例えば、図７に示すブックマーク一覧表４０では、Ｗｅｂサイトの種類別に空欄表３０の行を分けて、一つの種類に対応する内容を水平方向（Ｘ方向）に伸びる同一の行に配置しているが、各種類を最上段の行Ｙ１に配置すると共に、それら種類に対応する内容を垂直方向（Ｙ方向）に伸びる列に分けて配置してもよい。このようにＷｅｂサイトの種類別に空欄表３０の列を分けて配置するときは、種類ごとに多数のＷｅｂサイト名を配置できるため、配置すべきＷｅｂサイト名が多数存在するときに好適である。なお、図７に示す形態は、配置すべきＷｅｂサイトの種類が多いときに最適となる。
【０１２８】
また、種類別にＷｅｂサイト名を水平方向（Ｘ方向）に配置するか、垂直方向（Ｙ方向）に配置するかは、ユーザの選択、又はＷｅｂサイト名の数等を検出して自動で行うようにすることが可能であり、この場合は、配置方向の選択に係る処理を表生成プログラムＰ２に含ませることになる。さらに、配置する内容を水平方向（Ｘ方向）と垂直方向（Ｙ方向）の何れにしてもよいことは、図１０のアクセス履歴表４１、図１１の設定表４２、図１３（ａ）（ｂ）の記憶内容一覧表４３、４４、及び図１５の複合表４５においても、同様に適用可能である。
【０１２９】
さらにまた、図７に示すブックマーク一覧表４０の生成処理の簡略化を図る場合は、Ｗｅｂサイトの種類別に、登録されたＷｅｂサイト名を配置するのではなく、単純にＷｅｂサイト名のみを順次配置してブックマーク一覧表４０を生成するようにしてもよい（例えば、ブックマークの登録順に上の行Ｙ１から順次配置することも可能）。この場合は、分類データ２２ａの配置を省略するので、分類データ２２ａが不要となり、ＦＬＡＳＨメモリ７の空き容量を確保できると共に、ブックマーク一覧表４０の生成に係る処理負担を低減できる。同様に、図１０に示すアクセス履歴表４１の生成処理の簡略化を図る場合は、アクセス回数順に並べて配置する処理を省略してもよく、このときは、ＦＬＡＳＨメモリ７に記憶されているアクセス先データ２４に含まれたアクセス日時順、又は記憶されている順などで配置を行うことになる。また、通信部１０を設けないタイプ（通信機能を具備しないタイプ）のテレビジョン装置１では、Ｗｅｂサイト名を配置するような表４０、４１の生成処理は省略されることになり、空欄表３０の配置対象から、Ｗｅｂサイトへのアクセス先に係わるデータは除外される。
【０１３０】
また、図１１の設定表４２の内容は、あくまで一例であり、設定項目データ２３ａの設定可能な項目は、本発明を適用する装置の機種に応じて設けることになり、例えば、図１１に示した以外に、省エネ設定に関する項目（調光、無操作電源オフ、無信号電源オフ等）、本体設定に関する項目（チャンネル表示設定、入力表示設定、映像反転、高温強調等）、タイマー設定（オフタイマー設定、オンタイマー設定、時刻設定等）などを表す場合にも適用できる。さらにまた、各項目に対する設定内容データ２３ｂの中身は、図１１に示すように数字データに限定されるものではなく、対象となる項目によっては、「オン」と「オフ」のいずれかを選択するもの、時刻設定の項目のように一つの時刻の数字を配置して、その数字を変更するようなものも適用できる。
【０１３１】
なお、図１６は、変形例の設定表５２を示している。変形例の設定表５２は、水平方向の棒グラフ状で設定内容を表示するようにしたことが特徴であり、Ｘ５の列を「０」にして、Ｘ２の列を最小（ミニマム。図中、Ｍｉｎと表示）にすると共に、Ｘ８の列を最大（マックス。図中、Ｍａｘと表示）にしている。設定内容の表し方は、項目毎に「０」から現在の設定値を表す欄までを全て色付き（例えば、赤色）にする一方、他の欄は色無し（例えば、白色）にする。このようにすることで、視覚的に項目毎の現在の設定状況を一目で容易に把握できる。なお、図１６の変形例の設定表５２が示す設定状況は、図１１の設定表４２と同じである。
【０１３２】
さらに、図１３（ａ）（ｂ）の記憶内容一覧表４３、４４は、装置内部に係る記憶媒体に記憶された内容と、装置外部の記憶媒体に記憶された内容とを配置する仕様にしているが、装置内部と装置外部とをそれぞれ分けて、装置内部の記憶媒体用の一覧表と、装置外部の記憶媒体用の一覧表とを生成するようにしてもよい。
【０１３３】
また、図１３（ｂ）に示すように、空欄表３０がテレビジョン装置１の表示パネル１ｂに表示される範囲の中でデータが配置されない欄（列Ｘ４以降の範囲）による表部分４４ａがある場合で、図１４（ａ）のような番組画像５０を同時に表示するときは、番組画像５０を表部分４４ａにスーパインポーズしてもよい。即ち、図１７に示すように、変形例の記憶内容一覧表５４におけるデータが配置されない欄により形成された表部分５４ａに、番組画像６０を配置（スーパインポーズ）して、番組画像６０を含む記憶内容一覧表５４を生成できる。この際、番組画像６０は、表部分５４ａの寸法に合わせてサイズが自動的に変更されるものとする。
【０１３４】
さらに、テレビジョン装置１に装着する記憶媒体は半導体メモリであるメモリカードＫ以外にも、記憶処理部１２の仕様を異なるものにすることで、ＤＶＤ、ＢＤ（ブルーレイディスク）等の光ディスク、装着タイプ又は内蔵タイプのハードディスク装置等も適用できるようにしてもよい。また、記憶処理部１２を設けないタイプのテレビジョン装置１では、装置内部に係る記憶媒体に記憶された内容を空欄表３０に配置する処理は省略されることになる。
【０１３５】
さらにまた、図１、２に示すテレビジョン装置１では、電子番組表に対するデジタルの番組データをチューナ部２ａで取得する構成で説明したが、アナログの番組データを取得可能なアナログチューナを有する機種、及びネットワークＮＷを通じて通信部１０でインターネット番組データを取得する機種にも本発明は適用可能であり、これらの機種では、アナログチューナ、通信部１０が番組データを取得する手段に相当する。
【０１３６】
また、図１５のような複合表を生成する場合は、空欄表３０に複数種類のデータを一度に配置する以外に、生成されているデータ表の一部を他の種類のデータに置き換えて複合表を生成することも可能である。例えば、図１８（ａ）に示す電子番組表６１の下方の４行（Ｙ５〜Ｙ８）に配置されたデータ（一部のデータに相当）を、図１８（ｂ）に示すように記憶内容一覧表用のデータ（装置内部又は外部の記憶媒体に記憶された記憶内容に係わるデータ）に置き換えて複合表６２を生成してもよい。この場合、電子番組表をベースにして、他の内容を含むデータ表を容易に生成でき、電子番組表を確認しながら、他の内容を確認したい際に便利である。なお、置き換え対象のデータとしては、装置設定に係わるデータ、Ｗｅｂサイトへのアクセス先に係わるデータを適用することも可能であり、また、置き換える範囲は、電子番組表の一部のデータ以外に、全ての範囲を置き換えてもよい。
【０１３７】
本発明を適用可能なテレビジョン装置１は据置型以外にも、番組データを取得して電子番組表を生成する機能を有するタイプ（データ表生成装置に該当するタイプ）であれば、移動型、携帯型のテレビジョン装置にも適用できる。移動型のものとしては車両、列車等に搭載されるものが対象となり、携帯型のものとしては地上波放送に対応したもの及び所謂ワンセグ放送に対応したもの（携帯電話機、携帯型コンピュータ、ＰＤＡ等も含む）などが挙げられる。なお、携帯電話機のような通常のテレビジョン装置に比べて多機能な装置に本発明を適用する場合は、図１１の設定表４２においてテレビジョン装置の機能以外の携帯電話機独自の機能に係る設定項目（例えば、着信に係る設定、メール受信に係る設定、マナーモードに係る設定等）を設定表４２の設定対象にでき、このように多種類の設定項目にも空欄表３０を共用化することで、操作性の統一化、高い一覧性、開発コスト及び工期の低減と云う本発明の効果を更に伸ばすことができる。
【０１３８】
また、本発明は、表示パネルを有しない装置であっても、番組データを取得して電子番組表のようなデータ表を生成する機能を有するもの（例えば、チューナ装置及びケーブルテレビ用のセットトップボックス、録画装置など）にも適用可能である。例えば、録画装置に適用する場合では、録画装置独自の設定項目（録画画質設定、音声記録方式設定、延長キーワード設定、外部入力音声設定、二カ国語音声設定、オートチャプター設定、高速ダビング設定、ＤＶＤ代理録画設定、ＤＶＤ自動初期化設定、ＶＨＳジャスト録画、ビデオコントローラ設定、ＤＶＤ再生設定、暗証番号設定、ＶＨＳ設定等）を設定表４２の配置内容として適用できる。
【図面の簡単な説明】
【０１３９】
【図１】本発明の実施形態に係るテレビジョン装置の外観を示す概略図である。
【図２】実施形態のテレビジョン装置の主要な内部構成を示すブロック図である。
【図３】ＦＬＡＳＨメモリの記憶内容を示す概略図である。
【図４】空欄表を示す図表である。
【図５】電子番組表を示す図表である。
【図６】（ａ）は第１メニューを示す概略図、（ｂ）は第２メニューを示す概略図である。
【図７】ブックマーク一覧表を示す図表である。
【図８】ブックマークの登録に係る処理手順を示したフローチャートである。
【図９】アクセス先データに含まれる各サイトデータの構成を概念的に示した図である。
【図１０】アクセス履歴表を示す図表である。
【図１１】設定表の一例を示す図表である。
【図１２】メモリカードに記憶された番組内容に係るデータの状態を模式的に示した概略図である。
【図１３】（ａ）は記憶内容一覧表の一例を示す図表であり、（ｂ）は一部の背景を透明的な形態にした記憶内容一覧表を示す図表である。
【図１４】（ａ）は放送番組の番組画像を示す概略図であり、（ｂ）は番組画像に記憶内容一覧表を重ねた状態を示す概略図である。
【図１５】複合表の一例を示す図表である。
【図１６】変形例の設定表を示す図表である。
【図１７】番組画像を記憶内容一覧表の一部にスーパインポーズする状況を示す概略図である。
【図１８】（ａ）は電子番組表を示す図表、（ｂ）は電子番組表の一部を、記憶内容を表すデータに置き換えた複合表を示す図表である。
【符号の説明】
【０１４０】
１  テレビジョン装置
１ｂ  表示パネル
２ａ  チューナ部
４ｂ  ＯＳＤ表示部
７  補助メモリ
１０  通信部
１１  ＣＰＵ
１２  記憶処理部
１３  外部接続部
２０  ＴＶ用ＥＰＧ−ＤＢ
２１  番組情報用ＤＢ
２２  ＵＲＬ−ＤＢ
２２ａ  分類データ
２２ｂ  順位データ
２３  設定用ＤＢ
２３ａ  設定項目データ
２３ｂ  設定内容データ
２４  アクセス先データ
３０  空欄表
３１  電子番組表
４０  ブックマーク一覧表
４１  アクセス履歴表
４２  設定表
４３、４４  記憶内容一覧表
４５  複合表
Ｋ  メモリカード
Ｇ１  第１外部記憶装置
Ｇ２  第２外部記憶装置
【図１】
2008135818.tif 000003
【図２】
2008135818.tif 000004
【図３】
2008135818.tif 000005
【図４】
2008135818.tif 000006
【図５】
2008135818.tif 000007
【図６】
2008135818.tif 000008
【図７】
2008135818.tif 000009
【図８】
2008135818.tif 000010
【図９】
2008135818.tif 000011
【図１０】
2008135818.tif 000012
【図１１】
2008135818.tif 000013
【図１２】
2008135818.tif 000014
【図１３】
2008135818.tif 000015
【図１４】
2008135818.tif 000016
【図１５】
2008135818.tif 000017
【図１６】
2008135818.tif 000018
【図１７】
2008135818.tif 000019
【図１８】
2008135818.tif 000020